(57)【特許請求の範囲】
【請求項１】
無線通信方法であって、
第１の移動局装置が、
第Ｎ番目のシンボルと第Ｍ番目のシンボルとが逆相となる直交系列よりも同相となる直交系列を多く含む、複数の直交系列の内一つを用いて、ＡＣＫ、ＮＡＣＫ信号を拡散し、
拡散された前記ＡＣＫ、ＮＡＣＫ信号を、スロットを用いて送信し、
第２の移動局装置が、
ＣＱＩ信号を送信する際に、前記スロット内の第Ｎ番目のシンボルと第Ｍ番目のシンボルに、参照信号系列に相互に逆相となる値を乗算した参照信号を配置し、
配置された前記参照信号を前記スロットにて送信し、
基地局装置が、
前記スロットにて、前記ＡＣＫ、ＮＡＣＫ信号および前記参照信号を受信する無線通信方法。
【請求項２】
前記複数の直交系列は、１スロットに含まれる７シンボルの内の第１、２、６、７番目のシンボルに対応する直交系列として、［＋１，＋１，＋１，＋１］と［＋１，−１，−１，＋１］とを含み、前記Ｎは２であり、前記Ｍは６であることを特徴とする請求項１記載の無線通信方法。
【請求項３】
前記第２の移動局装置は、前記基地局装置から送信された信号に基づいて、前記参照信号系列に相互に逆相となる前記値が乗算されるように制御する、請求項１記載の無線通信方法。
【請求項４】
第１の移動局装置と、第２の移動局装置と、基地局装置とを含む無線通信システムであって、
第１の移動局装置は、
第Ｎ番目のシンボルと第Ｍ番目のシンボルとが逆相となる直交系列よりも同相となる直交系列を多く含む、複数の直交系列の内一つを用いて、ＡＣＫ、ＮＡＣＫ信号を拡散する拡散部と、
拡散された前記ＡＣＫ、ＮＡＣＫ信号を、スロットを用いて送信する送信部と、を有し、
第２の移動局装置は、
ＣＱＩ信号を送信する際に、前記スロット内の第Ｎ番目のシンボルと第Ｍ番目のシンボルに、参照信号系列に相互に逆相となる値を乗算した参照信号を配置する配置部と、
配置された前記参照信号を前記スロットにて送信する送信部と、を有し、
基地局装置が、
前記スロットにて、前記ＡＣＫ、ＮＡＣＫ信号および前記参照信号を受信する、
無線通信システム。
【請求項５】
前記複数の直交系列は、１スロットに含まれる７シンボルの内の第１、２、６、７番目のシンボルに対応する直交系列として、［＋１，＋１，＋１，＋１］と［＋１，−１，−１，＋１］とを含み、前記Ｎは２であり、前記Ｍは６であることを特徴とする請求項４記載の無線通信システム。
【請求項６】
前記第２の移動局装置は、前記基地局装置から送信された信号に基づいて、前記参照信号系列に相互に逆相となる前記値が乗算されるように制御する、請求項４記載の無線通信システム。
【請求項７】
基地局装置であって、
第Ｎ番目のシンボルと第Ｍ番目のシンボルとが逆相となる直交系列よりも同相となる直交系列を多く含む、複数の直交系列の内の一つの直交系列、及び、第１の巡回シフト値によって定義される系列とを用いて、第１の移動局装置が拡散し、送信したＡＣＫ、ＮＡＣＫ信号を受信し、
第２の移動局装置が、ＣＱＩ信号を送信する際に、スロット内の第Ｎ番目のシンボルと第Ｍ番目のシンボルに、参照信号として配置し、送信した、第２の巡回シフト値によって定義される参照信号系列に相互に逆相となる値が乗算された系列を、受信する受信部と、
前記一つの直交系列および前記第１の巡回シフト値によって定義される系列を用いて前記ＡＣＫ、ＮＡＣＫ信号を逆拡散し、前記第２の巡回シフト値によって定義される系列を用いて前記参照信号を逆拡散する逆拡散部と、
を有する基地局装置。
【請求項８】
前記第１の移動局装置から送信される前記ＡＣＫ、ＮＡＣＫ信号と、前記第２の移動局装置から送信される前記参照信号とを同じスロットにて受信することを特徴とする請求項７記載の基地局装置。
【請求項９】
無線通信方法であって、
第Ｎ番目のシンボルと第Ｍ番目のシンボルとが逆相となる直交系列よりも同相となる直交系列を多く含む、複数の直交系列の内の一つの直交系列、及び、第１の巡回シフト値によって定義される系列とを用いて、第１の移動局装置が拡散し、送信したＡＣＫ、ＮＡＣＫ信号を受信し、
第２の移動局装置が、ＣＱＩ信号を送信する際に、スロット内の第Ｎ番目のシンボルと第Ｍ番目のシンボルに、参照信号として配置し、送信した、参照信号系列に相互に逆相となる値が乗算された、第２の巡回シフト値によって定義される系列を受信し、
前記一つの直交系列および前記第１の巡回シフト値によって定義される系列を用いて前記ＡＣＫ、ＮＡＣＫ信号を逆拡散し、前記第２の巡回シフト値によって定義される系列を用いて前記参照信号を逆拡散する、
無線通信方法。
【請求項１０】
前記第１の移動局装置から送信される前記ＡＣＫ、ＮＡＣＫ信号と、前記第２の移動局装置から送信される前記参照信号とを同じスロットにて受信することを特徴とする請求項９記載の無線通信方法。
【発明の詳細な説明】
【技術分野】
【０００１】
本発明は、無線通信方法、無線通信システム及び基地局装置に関する。
【背景技術】
【０００２】
移動体通信では、無線通信基地局装置（以下、基地局と省略する）から無線通信移動局装置（以下、移動局と省略する）への下り回線データに対してＡＲＱ（Automatic Repeat Request）が適用される。つまり、移動局は下り回線データの誤り検出結果を示すＡＣＫ／ＮＡＣＫ信号を基地局へフィードバックする。移動局は下り回線データに対しＣＲＣ（Cyclic Redundancy Check）を行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を基地局へフィードバックする。このＡＣＫ／ＮＡＣＫ信号は例えばＰＵＣＣＨ（Physical Uplink Control Channel）等の上り回線制御チャネルを用いて基地局へ送信される。
【０００３】
また、基地局は下り回線データのリソース割当結果を通知するための制御情報を移動局へ送信する。この制御情報は例えばL1/L2ＣＣＨ（L1/L2 Control Channel）等の下り回線制御チャネルを用いて移動局へ送信される。各L1/L2ＣＣＨは１つまたは複数のＣＣＥ（Control Channel Element）を占有する。１つのL1/L2ＣＣＨが複数のＣＣＥを占有する場合、１つのL1/L2ＣＣＨは連続する複数のＣＣＥを占有する。制御情報を通知するために必要なＣＣＥ数に従って、基地局は各移動局に対し複数のL1/L2ＣＣＨの中のいずれかのL1/L2ＣＣＨを割り当て、各L1/L2ＣＣＨが占有するＣＣＥに対応する物理リソースに制御情報をマッピングして送信する。
【０００４】
また、下り回線の通信リソースを効率よく使用するために、ＣＣＥとＰＵＣＣＨとを対応付けることが検討されている。各移動局は、この対応付けに従って、自局への制御情報がマッピングされている物理リソースに対応するＣＣＥ番号から、自局がＡＣＫ／ＮＡＣＫ信号の送信に用いるＰＵＣＣＨ番号を判定することができる。
【０００５】
また、図１に示すように、複数の移動局からの複数のＡＣＫ／ＮＡＣＫ信号をＺＣ（Zadoff-Chu）系列及びウォルシュ（Walsh）系列を用いて拡散することによりコード多重することが検討されている（非特許文献１参照）。ただし、純粋なＺＣ系列の系列長は素数であるため、ここでは系列長１１のＺＣ系列の一部を循環的に拡張することにより系列長１２の擬似ＺＣ系列を作っている。ただし、以降では、簡単のため擬似ＺＣ系列についても、ＺＣ系列と表記する。図１において（Ｗ０,Ｗ１,Ｗ２,Ｗ３）は系列長４のウォルシュ系列を表わす。図１に示すように、移動局では、ＡＣＫまたはＮＡＣＫが、まず周波数軸上でＺＣ系列（系列長１２）によってＳＣ−ＦＤＭＡシンボル内に１次拡散される。
【０００６】
次いで、１次拡散後のＡＣＫ／ＮＡＣＫ信号がＷ０〜Ｗ３にそれぞれ対応させてＩＦＦＴ（Inverse Fast Fourier Transform）される。周波数軸上で系列長１２のＺＣ系列によって拡散されたＡＣＫ／ＮＡＣＫ信号は、このＩＦＦＴにより時間軸上の系列長１２のＺＣ系列に変換される。そして、ＩＦＦＴ後の信号がさらにウォルシュ系列（系列長４）を用いて２次拡散される。つまり、１つのＡＣＫ／ＮＡＣＫ信号は４つのＳＣ−ＦＤＭＡシンボルにそれぞれ配置される。他の移動局でも同様に、ＺＣ系列及びウォルシュ系列を用いてＡＣＫ／ＮＡＣＫ信号が拡散される。
【０００７】
但し、異なる移動局間では、時間軸上での循環シフト（Cyclic Shift）量が互いに異なるＺＣ系列、または、互いに異なるウォルシュ系列が用いられる。ここでは、ＺＣ系列の時間軸上での系列長が１２であるため、同一ＺＣ系列から生成される循環シフト量０〜１１の１２個のＺＣ系列を用いることができる。また、ウォルシュ系列の系列長が４であるため、互いに異なる４つのウォルシュ系列を用いることができる。よって、理想的な通信環境では、最大４８（１２×４）の移動局からのＡＣＫ／ＮＡＣＫ信号をコード多重することができる。
【０００８】
他の移動局からのＡＣＫ／ＮＡＣＫ信号は、循環シフト量が異なるＺＣ系列又は異なるウォルシュ系列によって拡散されるため、基地局においてウォルシュ系列を用いた逆拡散と、ＺＣ系列の相関処理を行うことによって、各移動局からのＡＣＫ／ＮＡＣＫ信号を分離することができる。また、ここでは、図１に示すように、ＲＳ（Reference Signal）にも系列長３のブロック拡散符号を用いるとする。すなわち、異なる移動局からのＲＳは系列長３の２次拡散系列を用いてコード多重される。これにより、ＲＳ成分は３ＳＣ−ＦＤＭＡシンボルにわたって送信される。
【０００９】
ここで、同一ＺＣ系列から生成される循環シフト量が互いに異なるＺＣ系列間での相互相関はほぼ０となる。よって、理想的な通信環境では、図２に示すように、循環シフト量が互いに異なるＺＣ系列（循環シフト量０〜１１）でそれぞれ拡散されコード多重された複数のＡＣＫ／ＮＡＣＫ信号は、基地局での相関処理により時間軸上で符号間干渉なく分離することができる。
【００１０】
しかしながら、移動局での送信タイミングずれ、マルチパスによる遅延波、周波数オフセット等の影響により、複数の移動局からの複数のＡＣＫ／ＮＡＣＫ信号は基地局に同時に到達するとは限らない。例えば、図３に示すように、循環シフト量０のＺＣ系列で拡散されたＡＣＫ／ＮＡＣＫ信号の送信タイミングが正しい送信タイミングより遅れた場合は、循環シフト量０のＺＣ系列の相関ピークが循環シフト量１のＺＣ系列の検出窓に現れてしまう。また、図４に示すように、循環シフト量０のＺＣ系列で拡散されたＡＣＫ／ＮＡＣＫ信号に遅延波がある場合には、その遅延波による干渉漏れが循環シフト量１のＺＣ系列の検出窓に現れてしまう。つまり、これらの場合には、循環シフト量１のＺＣ系列が循環シフト量０のＺＣ系列からの干渉を受ける。よって、これらの場合には、循環シフト量０のＺＣ系列で拡散されたＡＣＫ／ＮＡＣＫ信号と循環シフト量１のＺＣ系列で拡散されたＡＣＫ／ＮＡＣＫ信号との分離特性が劣化する。つまり、互いに隣接する循環シフト量のＺＣ系列を用いると、ＡＣＫ／ＮＡＣＫ信号の分離特性が劣化する可能性がある。より正確には、送信タイミングのずれによる干渉は、循環シフト量１から循環シフト量０への干渉、循環シフト量０から循環シフト量１への干渉ともに生じる可能性があるが、遅延波の影響は図から分かるように循環シフト量０から循環シフト量１の方向の干渉しか発生しない。
【００１１】
そこで、従来は、ＺＣ系列の拡散により複数のＡＣＫ／ＮＡＣＫ信号をコード多重する場合には、ＺＣ系列間での符号間干渉が発生しない程度の十分な循環シフト量の差（循環シフト間隔）をＺＣ系列間に設けている。例えば、ＺＣ系列間の循環シフト量の差を２として、循環シフト量０〜１１の１２個のＺＣ系列のうち、循環シフト量０，２，４，６，８，１０の６つのＺＣ系列をＡＣＫ／ＮＡＣＫ信号の１次拡散に用いる。よって、系列長が４のウォルシュ系列をＡＣＫ／ＮＡＣＫ信号の２次拡散に用いる場合には、最大２４（６×４）の移動局からのＡＣＫ／ＮＡＣＫ信号をコード多重することができる。ところが、ＲＳの位相は３通りしか存在しないため、実際には１８の移動局からのＡＣＫ／ＮＡＣＫ信号しか多重することができない。
【先行技術文献】
【非特許文献】
【００１２】
【非特許文献１】3GPP TSG RAN WG1 Meeting #49, R1-072315, “Multiplexing capability of CQIs and ACK/NACKsform different UEs”Kobe, Japan, May 7 - 11, 2007
【発明の概要】
【発明が解決しようとする課題】
【００１３】
ところで、３ＧＰＰ ＬＴＥのＰＵＣＣＨでは、上述したＡＣＫ／ＮＡＣＫ信号だけではなく、ＣＱＩ（Channel Quality Indicator）信号も多重する。ＡＣＫ／ＮＡＣＫ信号は、図１に示したように、１シンボルの情報であるが、ＣＱＩ信号は５シンボルの情報である。図５に示すように、移動局はＣＱＩ信号を系列長１２、循環シフト量ＰのＺＣ系列によって拡散し、拡散したＣＱＩ信号をＩＦＦＴして送信する。このように、ＣＱＩ信号には、ウォルシュ系列が適用されないため、基地局ではＡＣＫ／ＮＡＣＫ信号とＣＱＩ信号との分離にウォルシュ系列を用いることができない。そこで、基地局では、異なる循環シフトに対応するＺＣ系列によって拡散されたＡＣＫ／ＮＡＣＫ信号とＣＱＩ信号とをＺＣ系列で逆拡散することにより、ＡＣＫ／ＮＡＣＫ信号とＣＱＩ信号とをほぼ符号間干渉なく分離することができる。
【００１４】
しかしながら、理想的な通信環境では、基地局がＡＣＫ／ＮＡＣＫ信号とＣＱＩ信号をＺＣ系列によって分離することができるが、上述したように伝搬路の遅延状況等によっては、循環シフト系列の直交性が崩れ、ＣＱＩ信号がＡＣＫ／ＮＡＣＫ信号から干渉を受ける場合がある。また、ＺＣ系列を逆拡散してＡＣＫ／ＮＡＣＫ信号を分離する際にもＡＣＫ／ＮＡＣＫ信号からの符号間干渉がわずかに残る。図１及び図５から分かるように、ＡＣＫ／ＮＡＣＫ信号とＣＱＩ信号とは異なる信号フォーマットであり、ＲＳがそれぞれ異なる位置に定義されている（これらのＲＳの位置はＡＣＫ／ＮＡＣＫ信号のみを受信する場合、ＣＱＩ信号のみを受信する場合で独立に最適化されている）。このため、ＣＱＩ信号のＲＳがＡＣＫ／ＮＡＣＫ信号から受ける干渉量は、ＡＣＫ／ＮＡＣＫ信号のデータの内容によって、またはＡＣＫ／ＮＡＣＫ信号に使われるＷ１,Ｗ２の位相によって変動するという問題がある。つまり、ＲＳはＣＱＩ信号受信のために重要な部分であるにもかかわらず、このＲＳにおける干渉量が予測できず、ＣＱＩ受信性能を劣化させる可能性がある。
【００１５】
本発明の目的は、伝搬路に遅延等が生じた場合、送信タイミング誤差が発生した場合、または、ＺＣ系列の異なる循環シフト量間に残留干渉が発生する場合でも、ＣＱＩ受信性能の向上を図る無線通信方法、無線通信システム及び基地局装置を提供することである。
【課題を解決するための手段】
【００１６】
本発明の無線通信方法は、第１の移動局装置が、第Ｎ番目のシンボルと第Ｍ番目のシンボルとが逆相となる直交系列よりも同相となる直交系列を多く含む、複数の直交系列の内一つを用いて、ＡＣＫ、ＮＡＣＫ信号を拡散し、拡散された前記ＡＣＫ、ＮＡＣＫ信号を、スロットを用いて送信し、第２の移動局装置が、ＣＱＩ信号を送信する際に、前記スロット内の第Ｎ番目のシンボルと第Ｍ番目のシンボルに、参照信号系列に相互に逆相となる値を乗算した参照信号を配置し、配置された前記参照信号を前記スロットにて送信し、基地局装置が、前記スロットにて、前記ＡＣＫ、ＮＡＣＫ信号および前記参照信号を受信するようにした。
【００１７】
本発明の無線通信システムは、第１の移動局装置と、第２の移動局装置と、基地局装置とを含む無線通信システムであって、第１の移動局装置は、第Ｎ番目のシンボルと第Ｍ番目のシンボルとが逆相となる直交系列よりも同相となる直交系列を多く含む、複数の直交系列の内一つを用いて、ＡＣＫ、ＮＡＣＫ信号を拡散する拡散部と、拡散された前記ＡＣＫ、ＮＡＣＫ信号を、スロットを用いて送信する送信部と、を有し、第２の移動局装置は、ＣＱＩ信号を送信する際に、前記スロット内の第Ｎ番目のシンボルと第Ｍ番目のシンボルに、参照信号系列に相互に逆相となる値を乗算した参照信号を配置する配置部と、配置された前記参照信号を前記スロットにて送信する送信部と、を有し、基地局装置が、前記スロットにて、前記ＡＣＫ、ＮＡＣＫ信号および前記参照信号を受信する構成を採る。
【００１８】
本発明の基地局装置は、第Ｎ番目のシンボルと第Ｍ番目のシンボルとが逆相となる直交系列よりも同相となる直交系列を多く含む、複数の直交系列の内の一つの直交系列、及び、第１の巡回シフト値によって定義される系列とを用いて、第１の移動局装置が拡散し、送信したＡＣＫ、ＮＡＣＫ信号を受信し、第２の移動局装置が、ＣＱＩ信号を送信する際に、スロット内の第Ｎ番目のシンボルと第Ｍ番目のシンボルに、参照信号として配置し、送信した、第２の巡回シフト値によって定義される参照信号系列に相互に逆相となる値が乗算された系列を、受信する受信部と、前記一つの直交系列および前記第１の巡回シフト値によって定義される系列を用いて前記ＡＣＫ、ＮＡＣＫ信号を逆拡散し、前記第２の巡回シフト値によって定義される系列を用いて前記参照信号を逆拡散する逆拡散部と、を有する構成を採る。
【発明の効果】
【００１９】
本発明によれば、伝搬路に遅延等が生じた場合、送信タイミング誤差が発生した場合、または、異なる循環シフト量間に残留干渉が発生する場合でも、ＣＱＩ受信性能の向上を図ることができる。
【図面の簡単な説明】
【００２０】
【図１】ＡＣＫ／ＮＡＣＫ信号の拡散方法を示す図
【図２】ＺＣ系列で拡散されたＡＣＫ／ＮＡＣＫ信号の相関処理を示す図（理想的な通信環境の場合）
【図３】ＺＣ系列で拡散されたＡＣＫ／ＮＡＣＫ信号の相関処理を示す図（送信タイミングのずれがある場合）
【図４】ＺＣ系列で拡散されたＡＣＫ／ＮＡＣＫ信号の相関処理を示す図（遅延波がある場合）
【図５】ＣＱＩ信号の拡散方法を示す図
【図６】本発明の実施の形態１に係る基地局の構成を示すブロック図
【図７】本発明の実施の形態１に係る移動局の構成を示すブロック図
【図８】ＡＣＫ／ＮＡＣＫ信号の送信とＣＱＩ信号を生成する様子を示す図
【図９】使用頻度の高いウォルシュ系列とＣＱＩのＲＳ位相を直交化させる様子を示す図
【図１０】使用頻度の高いウォルシュ系列に応じてＣＱＩのＲＳ位相を適応的に制御する様子を示す図
【図１１】ＣＱＩのＲＳの位置がＡＣＫ／ＮＡＣＫのＲＳと多重される場合のＡＣＫ／ＮＡＣＫ信号の送信とＣＱＩ信号を生成する様子を示す図
【図１２】本発明の実施の形態２に係るＡＣＫ／ＮＡＣＫ信号とＣＱＩ信号の多重化の様子を示す図
【図１３】本発明の実施の形態２に係るＡＣＫ／ＮＡＣＫ信号とＣＱＩ信号の他の多重化の様子を示す図
【図１４】本発明の実施の形態３に係る基地局の構成を示すブロック図
【図１５】本発明の実施の形態３に係る移動局の構成を示すブロック図
【図１６】同時送信するＡＣＫ／ＮＡＣＫ信号とＣＱＩ信号とを生成する様子を示す図
【図１７】本発明の実施の形態４に係るＡＣＫ／ＮＡＣＫ信号とＣＱＩ＋応答信号の多重化の様子を示す図
【発明を実施するための形態】
【００２１】
以下、本発明の実施の形態について、図面を参照して詳細に説明する。
【００２２】
（実施の形態１）
本発明の実施の形態１に係る基地局１００の構成を図６に示し、本発明の実施の形態１に係る移動局２００の構成を図７に示す。
【００２３】
なお、説明が煩雑になることを避けるために、図６では、本発明と密接に関連する下り回線データの送信、及び、その下り回線データに対するＡＣＫ／ＮＡＣＫ信号の上り回線での受信に係わる構成部を示し、上り回線データの受信に係わる構成部の図示及び説明を省略する。同様に、図７では、本発明と密接に関連する下り回線データの受信、及び、その下り回線データに対するＡＣＫ／ＮＡＣＫ信号の上り回線での送信に係わる構成部を示し、上り回線データの送信に係わる構成部の図示及び説明を省略する。
【００２４】
また、以下の説明では、１次拡散にＺＣ系列を用い、２次拡散にウォルシュ系列を用いる場合について説明する。しかし、１次拡散には、ＺＣ系列以外の、互いに異なる循環シフト量により互いに分離可能な系列を用いてもよい。同様に、２次拡散にはウォルシュ系列以外の直交系列を用いてもよい。
【００２５】
また、以下の説明では、系列長１２のＺＣ系列及び系列長４のウォルシュ系列（Ｗ０,Ｗ１,Ｗ２,Ｗ３）を用いる場合について説明する。しかし、本発明はこれらの系列長には限定されない。
【００２６】
また、以下の説明では、循環シフト量０〜１１の１２個のＺＣ系列をそれぞれＺＣ＃０〜ＺＣ＃１１と表記し、系列番号０〜３の４つのウォルシュ系列をそれぞれＷ＃０〜Ｗ＃３と表記する。
【００２７】
また、以下の説明では、L1/L2ＣＣＨ＃１がＣＣＥ＃１、L1/L2ＣＣＨ＃２がＣＣＥ＃２、L1/L2ＣＣＨ＃３がＣＣＥ＃３、L1/L2ＣＣＨ＃４がＣＣＥ＃４及びＣＣＥ＃５、L1/L2ＣＣＨ＃５がＣＣＥ＃６及びＣＣＥ＃７、L1/L2ＣＣＨ＃６がＣＣＥ＃８〜ＣＣＥ＃１１…をそれぞれ占有するものとする。
【００２８】
また、以下の説明では、ＣＣＥ番号と、ＺＣ系列の循環シフト量及びウォルシュ系列番号によって定義されるＰＵＣＣＨ番号とが１対１で対応付けられているものとする。つまり、ＣＣＥ＃１とＰＵＣＣＨ＃１、ＣＣＥ＃２とＰＵＣＣＨ＃２、ＣＣＥ＃３とＰＵＣＣＨ＃３…がそれぞれ対応するものとする。
【００２９】
図６に示す基地局１００において、下り回線データのリソース割当結果が上りＲＳ位相決定部１０１、制御情報生成部１０２及びマッピング部１０８に入力される。
【００３０】
上りＲＳ位相決定部１０１は、移動局から送信されるＣＱＩのＲＳ位相（２シンボル目の位相、６シンボル目の位相）として（＋，−）のいずれを用いるかを決定し、決定したＲＳ位相を制御情報生成部１０２に出力する。例えば、必要なＰＵＣＣＨ数が少なく、ウォルシュ符号としてＷ＃０＝[1,1,1,1]とＷ＃１＝[1,-1,-1,1]の２つしか用いない場合には、ＣＱＩのＲＳが送信される位置でのウォルシュ符号は（＋，＋）、（−，−）であるため、上りＲＳ位相決定部１０１は、ＲＳの位相としてはこれらのどちらとも直交する（＋，−）を用いるように決定する。
【００３１】
制御情報生成部１０２は、リソース割当結果及びＲＳ位相決定部１０１から入力されるＲＳ位相を通知するための制御情報を移動局毎に生成し符号化部１０３に出力する。移動局毎の制御情報には、どの移動局宛ての制御情報であるかを示す移動局ＩＤ情報が含まれる。例えば、制御情報の通知先の移動局のＩＤ番号でマスキングされたＣＲＣが移動局ＩＤ情報として制御情報に含まれる。移動局毎の制御情報は符号化部１０３で符号化され、変調部１０４で変調されてマッピング部１０８に入力される。また、制御情報生成部１０２は、制御情報を通知するために必要なＣＣＥ数に従って、各移動局に対し複数のL1/L2ＣＣＨの中のいずれかのL1/L2ＣＣＨを割り当て、割り当てたL1/L2ＣＣＨに対応するＣＣＥ番号をマッピング部１０８に出力する。例えば、移動局＃１への制御情報の通知に必要なＣＣＥ数が１であるため移動局＃１にL1/L2ＣＣＨ＃１が割り当てられた場合には、制御情報生成部１０２は、ＣＣＥ番号＃１をマッピング部１０８に出力する。また、移動局＃１への制御情報の通知に必要なＣＣＥ数が４であるため移動局＃１にL1/L2ＣＣＨ＃６が割り当てられた場合には、制御情報生成部１０２は、ＣＣＥ番号＃８〜＃１１をマッピング部１０８に出力する。
【００３２】
一方、符号化部１０５は、各移動局への送信データ（下り回線データ）を符号化して再送制御部１０６に出力する。
【００３３】
再送制御部１０６は、初回送信時には、符号化後の送信データを移動局毎に保持するとともに変調部１０７に出力する。再送制御部１０６は、各移動局からのＡＣＫが判定部１１８から入力されるまで送信データを保持する。また、再送制御部１０６は、各移動局からのＮＡＣＫが判定部１１８から入力された場合、すなわち、再送時には、そのＮＡＣＫに対応する送信データを変調部１０７に出力する。
【００３４】
変調部１０７は、再送制御部１０６から入力される符号化後の送信データを変調してマッピング部１０８に出力する。
【００３５】
マッピング部１０８は、制御情報の送信時には、変調部１０４から入力される制御情報を制御情報生成部１０２から入力されるＣＣＥ番号に従って物理リソースにマッピングしてＩＦＦＴ部１０９に出力する。つまり、マッピング部１０８は、移動局毎の制御情報を、ＯＦＤＭシンボルを構成する複数のサブキャリアにおいてＣＣＥ番号に対応するサブキャリアにマッピングする。
【００３６】
一方、下り回線データの送信時には、マッピング部１０８は、リソース割当結果に従って各移動局への送信データを物理リソースにマッピングしてＩＦＦＴ部１０９に出力する。つまり、マッピング部１０８は、移動局毎の送信データを、リソース割当結果に従ってＯＦＤＭシンボルを構成する複数のサブキャリアのいずれかにマッピングする。
【００３７】
ＩＦＦＴ部１０９は、制御情報または送信データがマッピングされた複数のサブキャリアに対してＩＦＦＴを行ってＯＦＤＭシンボルを生成し、ＣＰ（Cyclic Prefix）付加部１１０に出力する。
【００３８】
ＣＰ付加部１１０は、ＯＦＤＭシンボルの後尾部分と同じ信号をＣＰとしてＯＦＤＭシンボルの先頭に付加する。
【００３９】
無線送信部１１１は、ＣＰ付加後のＯＦＤＭシンボルに対しＤ／Ａ変換、増幅及びアップコンバート等の送信処理を行ってアンテナ１１２から移動局２００（図７）へ送信する。
【００４０】
一方、無線受信部１１３は、移動局２００から送信された信号をアンテナ１１２を介して受信し、受信信号に対しダウンコンバート、Ａ／Ｄ変換等の受信処理を行う。なお、受信信号には、ある移動局から送信されたＡＣＫ／ＮＡＣＫ信号と他の移動局から送信されたＣＱＩ信号とが符号多重されている。
【００４１】
ＣＰ除去部１１４は、受信処理後の信号に付加されているＣＰを除去する。
【００４２】
相関処理部１１５は、ＣＰ除去部１１４から入力される信号と、移動局２００において１次拡散に用いられたＺＣ系列との相関値を求める。すなわち、ＡＣＫ／ＮＡＣＫ信号に割り当てていた循環シフト量に対応するＺＣ系列を用いて求めた相関値と、ＣＱＩ信号に割り当てていた循環シフト量に対応するＺＣ系列を用いて求めた相関値とを分離部１１６に出力する。
【００４３】
分離部１１６は、相関処理部１１５から入力される相関値に基づいて、ＡＣＫ／ＮＡＣＫ信号を逆拡散部１１７に出力し、ＣＱＩ信号をＲＳ合成部１１９に出力する。
【００４４】
逆拡散部１１７は、分離部１１６から入力されるＡＣＫ／ＮＡＣＫ信号を移動局２００において２次拡散に用いられたウォルシュ系列で逆拡散し、逆拡散後の信号を判定部１１８に出力する。
【００４５】
判定部１１８は、時間軸上に移動局毎に設定された検出窓を用いて移動局毎に相関ピークを検出することにより、移動局毎のＡＣＫ／ＮＡＣＫ信号を検出する。例えば、判定部１１８は、移動局＃１用の検出窓＃１に相関ピークが検出された場合には、移動局＃１からのＡＣＫ／ＮＡＣＫ信号を検出する。そして、判定部１１８は、検出されたＡＣＫ／ＮＡＣＫ信号がＡＣＫまたはＮＡＣＫのいずれであるかを判定し、移動局毎のＡＣＫまたはＮＡＣＫを再送制御部１０６に出力する。
【００４６】
ＲＳ合成部１１９は、分離部１１６から入力されるＣＱＩの複数のＲＳについて、これらのＲＳの位相を揃えて合成し、合成したＲＳを用いて伝搬路を推定する。推定した伝搬路情報及び分離部１１６から入力されるＣＱＩ信号は復調部１２０に出力される。
【００４７】
復調部１２０は、ＲＳ合成部１１９から入力されるＣＱＩ信号を伝搬路情報を用いて復調し、復号部１２１は、復調されたＣＱＩ信号を復号し、ＣＱＩ信号を出力する。
【００４８】
一方、図７に示す移動局２００において、無線受信部２０２は、基地局１００から送信されたＯＦＤＭシンボルをアンテナ２０１を介して受信し、ＯＦＤＭシンボルに対しダウンコンバート、Ａ／Ｄ変換等の受信処理を行う。
【００４９】
ＣＰ除去部２０３は、受信処理後のＯＦＤＭシンボルに付加されているＣＰを除去する。
【００５０】
ＦＦＴ（Fast Fourier Transform）部２０４は、ＯＦＤＭシンボルに対してＦＦＴを行って複数のサブキャリアにマッピングされている制御情報または下り回線データを得て、それらを抽出部２０５に出力する。
【００５１】
抽出部２０５は、制御情報の受信時には、複数のサブキャリアから制御情報を抽出して復調部２０６に出力する。この制御情報は、復調部２０６で復調され、復号部２０７で復号されて判定部２０８に入力される。
【００５２】
一方、下り回線データの受信時には、抽出部２０５は、判定部２０８から入力されるリソース割当結果に従って、複数のサブキャリアから自局宛の下り回線データを抽出して復調部２１０に出力する。この下り回線データは、復調部２１０で復調され、復号部２１１で復号されてＣＲＣ部２１２に入力される。
【００５３】
ＣＲＣ部２１２は、復号後の下り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを生成し、生成したＡＣＫ／ＮＡＣＫ信号を変調部２１３に出力する。また、ＣＲＣ部２１２は、ＣＲＣ＝ＯＫ（誤り無し）の場合、復号後の下り回線データを受信データとして出力する。
【００５４】
判定部２０８は、復号部２０７から入力された制御情報が自局宛の制御情報であるか否かをブラインド判定する。例えば、判定部２０８は、自局のＩＤ番号でデマスキングすることによりＣＲＣ＝ＯＫ（誤り無し）となった制御情報を自局宛の制御情報であると判定する。そして、判定部２０８は、自局宛の制御情報、すなわち、自局に対する下り回線データのリソース割当結果を抽出部２０５に出力する。また、判定部２０８は、自局宛の制御情報がマッピングされていたサブキャリアに対応するＣＣＥ番号から、自局からのＡＣＫ／ＮＡＣＫ信号の送信に用いるＰＵＣＣＨ番号を判定し、判定結果（ＰＵＣＣＨ番号）を制御部２０９に出力する。例えば、上記L1/L2ＣＣＨ＃１が割り当てられた移動局２００の判定部２０８は、ＣＣＥ＃１に対応するサブキャリアに制御情報がマッピングされているため、ＣＣＥ＃１に対応するＰＵＣＣＨ＃１を自局用のＰＵＣＣＨと判定する。また、上記L1/L2ＣＣＨ＃６が割り当てられた移動局２００の判定部２０８は、ＣＣＥ＃８〜ＣＣＥ＃１１に対応するサブキャリアに制御情報がマッピングされているため、ＣＣＥ＃８〜ＣＣＥ＃１１において最小番号のＣＣＥ＃８に対応するＰＵＣＣＨ＃８を自局用のＰＵＣＣＨと判定する。また、判定部２０８は、復号部２０７から入力された制御情報に含まれるＲＳ位相を抽出し制御部２０９に出力する。
【００５５】
制御部２０９は、判定部２０８から入力されたＰＵＣＣＨ番号に従って、拡散部２１４及び拡散部２１９での１次拡散に用いるＺＣ系列の循環シフト量及び拡散部２１７での２次拡散に用いるウォルシュ系列を制御する。すなわち、制御部２０９は、判定部２０８から入力されたＰＵＣＣＨ番号に対応する循環シフト量のＺＣ系列を拡散部２１４及び拡散部２１９に設定し、判定部２０８から入力されたＰＵＣＣＨ番号に対応するウォルシュ系列を拡散部２１７に設定する。また、制御部２０９は、判定部２０８から入力されたＲＳ位相に従って、ＲＳ位相付加部２２２を制御する。また、制御部２０９は、予め基地局１００からＣＱＩを送信するように指示されている場合は、ＣＱＩ信号の送信を選択し、ＣＱＩを送信するように指示されていない場合は、判定部２０８においてＣＲＣ＝ＮＧ（誤り有り）に基づいて生成されたＡＣＫ／ＮＡＣＫ信号を送信するように、送信信号選択部２２３を制御する。
【００５６】
変調部２１３は、ＣＲＣ部２１２から入力されるＡＣＫ／ＮＡＣＫ信号を変調して拡散部２１４に出力する。拡散部２１４は、制御部２０９によって設定されたＺＣ系列でＡＣＫ／ＮＡＣＫ信号を１次拡散し、１次拡散後のＡＣＫ／ＮＡＣＫ信号をＩＦＦＴ部２１５に出力する。ＩＦＦＴ部２１５は、１次拡散後のＡＣＫ／ＮＡＣＫ信号に対してＩＦＦＴを行い、ＩＦＦＴ後のＡＣＫ／ＮＡＣＫ信号をＣＰ付加部２１６に出力する。ＣＰ付加部２１６は、ＩＦＦＴ後のＡＣＫ／ＮＡＣＫ信号の後尾部分と同じ信号をＣＰとしてそのＡＣＫ／ＮＡＣＫ信号の先頭に付加する。拡散部２１７は、制御部２０９によって設定されたウォルシュ系列でＣＰ付加後のＡＣＫ／ＮＡＣＫ信号を２次拡散し、２次拡散後のＡＣＫ／ＮＡＣＫ信号を送信信号選択部２２３に出力する。なお、変調部２１３、拡散部２１４、ＩＦＦＴ部２１５、ＣＰ付加部２１６及び拡散部２１７は、ＡＣＫ／ＮＡＣＫ信号送信処理手段として機能する。
【００５７】
変調部２１８は、ＣＱＩ信号を変調して拡散部２１９に出力する。拡散部２１９は、制御部２０９によって設定されたＺＣ系列でＣＱＩ信号を拡散し、拡散後のＣＱＩ信号をＩＦＦＴ部２２０に出力する。ＩＦＦＴ部２２０は、拡散後のＣＱＩ信号に対してＩＦＦＴを行い、ＩＦＦＴ後のＣＱＩ信号をＣＰ付加部２２１に出力する。ＣＰ付加部２２１は、ＩＦＦＴ後のＣＱＩ信号の後尾部分と同じ信号をＣＰとしてそのＣＱＩ信号の先頭に付加する。
【００５８】
ＲＳ位相付加部２２２は、ＣＰ付加部２２１から入力されたＣＱＩ信号に制御部２０９によって設定された位相を付加し、位相を付加したＣＱＩ信号を送信信号選択部２２３に出力する。
【００５９】
送信信号選択部２２３は、制御部２０９の設定に従って、拡散部２１７から入力されるＡＣＫ／ＮＡＣＫ信号又はＲＳ位相付加部２２２から入力されるＣＱＩ信号のいずれかを選択し、選択した信号を送信信号として無線送信部２２４に出力する。
【００６０】
無線送信部２２４は、送信信号選択部２２３から入力された送信信号に対しＤ／Ａ変換、増幅及びアップコンバート等の送信処理を行ってアンテナ２０１から基地局１００（図６）へ送信する。
【００６１】
次に、図７に示した移動局２００がＣＱＩ信号を生成する様子について説明する。なお、移動局２００は、ＡＣＫ／ＮＡＣＫ信号とＣＱＩ信号とを同時に送信するのではなく、いずれかを送信する。また、ＡＣＫ／ＮＡＣＫ信号は図７に示したように生成する。
【００６２】
ＣＱＩ信号は、図５に示したように、５シンボルの情報がそれぞれ拡散部２１９によってＺＣ系列で拡散され、ＣＰ付加部２２１によってＣＰが付加された後、５ＳＣ−ＦＤＭＡシンボルに配置される。また、ＲＳとしてＺＣ系列が２シンボル目と６シンボル目の２ＳＣ−ＦＤＭＡシンボルに配置される。
【００６３】
ここで、基地局１００は、ＡＣＫ／ＮＡＣＫ送信用に予め決められた２つのウォルシュ系列しか使わないものとする。すなわち、システムとしては４つのウォルシュ系列が利用可能であるが、基地局１００は、ウォルシュ系列としてＷ＃０＝[1,1,1,1]とＷ＃１＝[1,-1,-1,1]の２つしか用いないことを予め報知する。ＡＣＫ／ＮＡＣＫ信号を送信する移動局２００はこれらのウォルシュ系列のみを用いるとする。同様に、基地局１００は、ＣＱＩのＲＳ位相（２シンボル目の位相、６シンボル目の位相）として（＋，−）を用いるように報知する。つまり、ＣＱＩ信号を送信する移動局２００は、図７のＲＳ位相付加部２２２にて、ＣＱＩのＲＳ位相を上記の通り付加する。この時、ＡＣＫ／ＮＡＣＫ信号の送信とＣＱＩ信号を生成する様子は図８に示す通りである。
【００６４】
図８によれば、ＡＣＫ／ＮＡＣＫ信号のデータ（図中、白抜き部分）には、ウォルシュ系列Ｗ＃１が適用される。一方、ＣＱＩのＲＳには、２シンボル目のＲＳ位相として＋が、６シンボル目のＲＳ位相として−が付加される。すなわち、ＣＱＩのＲＳと多重されたＡＣＫ／ＮＡＣＫ信号の２シンボル目と６シンボル目に適用されたウォルシュ系列の部分系列（Ｗ１，Ｗ２）は（＋，＋）又は（−，−）となり、基地局１００のＲＳ合成部１１９がＣＱＩのＲＳの位相を揃えて（６シンボル目に受信された結果を反転して）合成することにより、ウォルシュ系列で拡散された信号の位相が２シンボル目と６シンボル目で反転するため、互いに打ち消し合い、ＣＱＩのＲＳがＡＣＫ／ＮＡＣＫ信号から受ける干渉を低減することができる。
【００６５】
なお、ある基地局１００におけるこれらのウォルシュ系列及びＣＱＩのＲＳ位相の選択結果は、一定時間おきに基地局１００から報知されるものとする。
【００６６】
このように実施の形態１によれば、移動局から送信されるＣＱＩのＲＳはこのＲＳと同じ位置に多重されるＡＣＫ／ＮＡＣＫ信号の２次拡散符号と直交させ、基地局はＣＱＩのＲＳの位相を揃えて平均化することにより、ノイズの影響を低減すると共に、他の移動局が送信したＡＣＫ／ＮＡＣＫ信号から受ける干渉も低減することができるので、ＣＱＩにおけるチャネル推定精度が向上し、ＣＱＩ信号の受信精度を向上させることができる。また、ＡＣＫ／ＮＡＣＫ信号についても、ＡＣＫ／ＮＡＣＫ信号受信時に逆拡散を行うことによって、ＣＱＩのＲＳ部分は逆相で足し合わされるため、ＡＣＫ／ＮＡＣＫ信号がＣＱＩのＲＳ部分から受ける干渉信号を低減することができる。つまり、ＡＣＫ／ＮＡＣＫ信号についても受信精度を向上させることができる。
【００６７】
なお、本実施の形態では、システムで利用可能な４つのウォルシュ系列のうち、２系列を用いる場合について説明したが、４つのウォルシュ系列に予め優先順位を決めておき、優先順位の高いウォルシュ系列から用いるようにしてもよい。以下、４つのウォルシュ系列に優先順位を適用する場合について説明する。
【００６８】
基地局は各移動局に対して使用頻度の高いウォルシュ系列の部分系列（Ｗ１，Ｗ２）と直交する位相でＣＱＩを送信するように全移動局に報知する。ＣＱＩのＲＳが受ける干渉量は、ＣＱＩのＲＳと直交しないウォルシュ系列を使用する移動局数に応じて大きくなるため、使用頻度の高いウォルシュ系列とＣＱＩのＲＳ位相を直交化させることにより、ＣＱＩのＲＳが受ける総干渉量を低減することができる。この時の様子を図９に示す。
【００６９】
また、基地局が予め上りＣＱＩのＲＳ位相に関する情報を報知しなくても、移動局がＣＱＩを送信するタイミングに応じて、毎回ＣＱＩのＲＳ位相を指示してもよい。あるサブフレーム内でどの移動局が上り信号を送信するか、また、それらの移動局がどの上り符号リソースを使って送信するかはサブフレーム毎に変わるが、基地局では、ＣＱＩが送信されるフレームにおいてどのウォルシュ系列がより多く使われているか把握しているため、より多く使われているウォルシュ系列の（Ｗ１，Ｗ２）と直交する形でＣＱＩのＲＳを送信するように適応的に移動局に指示することができる。これにより、ＣＱＩのＲＳが受ける総干渉量を減少させることができる。この時の様子を図１０に示す。また、ＣＱＩのＲＳの位置がＡＣＫ／ＮＡＣＫのＲＳと多重される場合には、図１１に示すようになる。
【００７０】
また、ＡＣＫ／ＮＡＣＫに対する２次拡散系列としてウォルシュ系列以外が用いられる場合には、当該基地局で用いられている２次拡散系列（Ｓ０，Ｓ１，Ｓ２，Ｓ３）のうち、ＣＱＩのＲＳに対応する部分（Ｓ１，Ｓ２）の符号に着目し、Ｓ１とＳ２の符号が同相であるか逆相であるかを確認する。
【００７１】
すなわち、当該基地局で用いられている２次拡散系列のうち、２つ目と３つ目の符号が同相の系列が多いか、逆相の系列が多いかを確認し、２つ目と３つ目の符号が同相の系列がより多く用いられている場合は、ＲＳの位相として（＋，−）を、逆相の系列がより多く用いられている場合は、ＲＳの位相として（＋，＋）を用いればよい。
【００７２】
なお、ＲＳの位相として（＋，−）と（＋，＋）の代わりに、（−，＋）と（−，−）を用いてもよい。
【００７３】
（実施の形態２）
本発明の実施の形態２に係る基地局及び移動局の構成は、実施の形態１の図６及び図７に示した構成と同様であるので、図６及び図７を援用して説明する。
【００７４】
本発明の実施の形態２に係るＡＣＫ／ＮＡＣＫ信号とＣＱＩ信号の多重化（リソース割当）の様子を図１２に示す。ここでは、基地局が図１２に示すようなリソース割り当てを行ったとする。ただし、横軸は循環シフト量、縦軸はウォルシュ系列に対応する。
【００７５】
また、ここでは、ＣＱＩのＲＳは、主に隣り合う循環シフト量に対応するＺＣ系列で拡散されたＡＣＫ／ＮＡＣＫ信号から干渉を受けることに注目する。より具体的には、ＣＱＩのＲＳは、循環シフト量が小さい方の近くのＡＣＫ／ＮＡＣＫ信号から大きな干渉を受け、循環シフト量が大きい方の近くのＡＣＫ／ＮＡＣＫ信号には大きな干渉を与えることに注目する。
【００７６】
図１２によれば、ＣＱＩ＃１を送信する移動局は、循環シフト量＝２に対応するＺＣ系列を用いてＣＱＩ信号を拡散して送信する。この時、ＣＱＩ＃１はＡＣＫ＃５から最も大きな干渉を受けるため、ＡＣＫ＃５のＷ１，Ｗ２の位相（Ｗ１＝１，Ｗ２＝−１）に注目し、基地局１００の上りＲＳ位相決定部１０１は、ＣＱＩのＲＳ位相として（＋，＋）を決定する。また、ＣＱＩ＃２はＡＣＫ＃３及びＡＣＫ＃１１から干渉を受けるため、ＡＣＫ＃３のＷ１，Ｗ２の位相（Ｗ１＝１，Ｗ２＝１）及びＡＣＫ＃１１のＷ１，Ｗ２の位相（Ｗ１＝−１，Ｗ２＝−１）に注目し、基地局１００の上りＲＳ位相決定部１０１は、ＣＱＩのＲＳ位相として（＋，−）を決定する。
【００７７】
このように実施の形態２によれば、実際に大きく干渉を受けるＡＣＫ／ＮＡＣＫ信号のウォルシュ符号に注目してＣＱＩのＲＳ位相を決定するため、より効果的にＲＳにおける干渉量を低減することができる。
【００７８】
なお、本実施の形態では、図１２に示すリソース割当を想定したが、基地局がＡＣＫ／ＮＡＣＫリソースを自由に割り当ててもよい。例えば、図１３に示すようなＡＣＫ／ＮＡＣＫ信号とＣＱＩ信号の多重化が行われたとすると、ＣＱＩ＃１に隣接するＡＣＫはＡＣＫ＃２，ＡＣＫ＃８，ＡＣＫ＃９の３つであり、Ｗ＃２＝[1,1,-1,-1]が多く用いられることになる。よって、基地局１００の上りＲＳ位相決定部１０１は、ＣＱＩ＃１のＲＳ位相として（＋，＋）を決定する。また、ＣＱＩ＃２に隣接するＡＣＫはＡＣＫ＃４，ＡＣＫ＃１１，ＡＣＫ＃１６の３つであり、Ｗ＃０＝[1,1,1,1]とＷ＃１＝[1,-1,-1,1]を用いる移動局数がＷ＃２を用いる移動局数より多い。このため、基地局１００の上りＲＳ位相決定部１０１は、ＣＱＩ＃２のＲＳ位相として（＋，−）を決定する。
【００７９】
また、ＡＣＫ／ＮＡＣＫ信号の所要エラーレートが１０−４程度であるのに対して、ＣＱＩの所要エラーレートが１０−２程度であることに注目して、ＡＣＫ／ＮＡＣＫ信号の品質をより高める方にＣＱＩのＲＳ位相を設定してもよい。すなわち、上述した通り、ＣＱＩのＲＳ位相をＡＣＫ／ＮＡＣＫ信号のＷ１，Ｗ２と直交させることによって、ＣＱＩが受ける干渉だけではなく、ＣＱＩがＡＣＫ／ＮＡＣＫ信号に与える干渉も小さくできる。このため、図１３に示すような場合は、ＣＱＩ＃１が干渉を与える対象であるＡＣＫ＃９、ＣＱＩ＃２が干渉を与える対象であるＡＣＫ＃１１に対して影響を小さくするようなＲＳ位相を設定する。すなわち、ＡＣＫ＃９，ＡＣＫ＃１１は共にＷ＃２を用いているため、ＣＱＩ＃１，ＣＱＩ＃２共に設定するＲＳ位相はそれぞれ（＋，＋）となる。
【００８０】
（実施の形態３）
本発明の実施の形態３では、ＣＱＩ信号と応答信号（ＡＣＫ／ＮＡＣＫ信号）とを同時に送信する場合について説明する。すなわち、基地局は予め移動局に対してＣＱＩ信号を送信するタイミングを指示しているが、基地局側の下りデータ信号割り当てのタイミングによっては、ある移動局がＣＱＩ信号と下りデータ信号に対する応答信号（ＡＣＫ又はＮＡＣＫ）とを同時に送信する場合がある。このとき、同時に送信されるＣＱＩ信号と応答信号とをまとめてＣＱＩ＋応答信号と表記する。なお、応答信号がＮＡＣＫであった場合、ＣＱＩ＋ＮＡＣＫ信号と表記し、応答信号がＡＣＫであった場合、ＣＱＩ＋ＡＣＫ信号と表記する。
【００８１】
本発明の実施の形態３に係る基地局１５０の構成を図１４に示す。ただし、図１４が図６と異なる点は、上りＲＳ位相決定部１０１を上りＲＳ位相決定部１５１に変更し、ＲＳ合成部１１９をＲＳ合成部１５２に変更した点である。
【００８２】
上りＲＳ位相決定部１５１は、移動局から送信されるＣＱＩ＋応答信号のＲＳ位相（２シンボル目の位相、６シンボル目の位相）が（＋，−）をＣＱＩ＋ＡＣＫ、かつ、（＋，＋）をＣＱＩ＋ＮＡＣＫと定義するか、または（＋，＋）をＣＱＩ＋ＡＣＫ、かつ、（＋，−）をＣＱＩ＋ＮＡＣＫと定義するかを決定し、決定したＲＳ位相の定義を制御情報生成部１０２及びＲＳ合成部１５２に出力する。
【００８３】
例えば、必要なＰＵＣＣＨ数が少なく、ウォルシュ符号としてＷ＃０＝[1,1,1,1]とＷ＃１＝[1,-1,-1,1]の２つしか用いない場合には、ＣＱＩのＲＳが送信される位置でのウォルシュ符号は（＋，＋）、（−，−）であるため、上りＲＳ位相決定部１５１は、ＲＳの位相としてはこれらのどちらとも直交する（＋，−）をＡＣＫ信号より重要なＮＡＣＫ信号に割り当てるため、ＲＳの位相の定義として（＋，＋）をＣＱＩ＋ＡＣＫ、かつ、（＋，−）をＣＱＩ＋ＮＡＣＫと定義するように決定する。
【００８４】
ＲＳ合成部１５２は、分離部１１６から入力されるＣＱＩの複数のＲＳについて、移動局がＣＱＩ信号のみを送信している場合には、これらのＲＳの位相を揃えて合成し、合成したＲＳを用いて伝搬路を推定する。推定した伝搬路情報及び分離部１１６から入力されるＣＱＩ信号は復調部１２０に出力される。
【００８５】
また、ＲＳ合成部１５２は、分離部１１６から入力されるＣＱＩの複数のＲＳについて、移動局がＣＱＩ＋応答信号を送信している場合には、ＲＳの位相を（＋，＋）と仮定して揃えた場合と（＋，−）と仮定して揃えた場合とでいずれの電力が大きいかを判別し、電力が大きい方の位相をＣＱＩのＲＳの位相と判定する。このＲＳの位相判定結果と上りＲＳ位相決定部１５１から入力されたＲＳ位相の定義とを用いて、ＣＱＩと同時に送られている応答信号が、ＡＣＫかＮＡＣＫかを判定する。すなわち、ＲＳ合成部１５２は、ＲＳ信号に関して（＋，＋）の係数を持つ相関器と（＋，−）の係数を持つ相関器を２つ準備しており、この相関器からの出力を用いてＣＱＩと同時に送られている信号がＡＣＫかＮＡＣＫかを判定する。この判定結果は再送制御部１０６に出力される。さらに、その判定結果に基づいて、これらの位相を揃えて合成したＲＳを用いてＣＱＩのデータ部分を復号するための伝搬路を推定する。推定した伝搬路情報及び分離部１１６から入力されるＣＱＩ信号は復調部１２０に出力される。
【００８６】
次に、本発明の実施の形態３に係る移動局２５０の構成を図１５に示す。ただし、図１５が図７と異なる点は、制御部２０９を制御部２５１に変更した点である。
【００８７】
制御部２５１は、判定部２０８から入力されたＰＵＣＣＨ番号に従って、拡散部２１４及び拡散部２１９での１次拡散に用いるＺＣ系列の循環シフト量及び拡散部２１７での２次拡散に用いるウォルシュ系列を制御する。すなわち、制御部２５１は、判定部２０８から入力されたＰＵＣＣＨ番号に対応する循環シフト量のＺＣ系列を拡散部２１４及び拡散部２１９に設定し、判定部２０８から入力されたＰＵＣＣＨ番号に対応するウォルシュ系列を拡散部２１７に設定する。また、制御部２５１は、判定部２０８から入力されたＲＳ位相に従って、ＲＳ位相付加部２２２を制御する。
【００８８】
また、制御部２５１は、予め基地局１５０からＣＱＩを送信するように指示されている場合は、ＣＱＩ信号の送信、すなわち、ＲＳ位相付加部２２２からの出力を送信するように選択し、ＣＱＩ信号を送信するように指示されていない場合は、判定部２０８においてＣＲＣ＝ＮＧ（誤り有り）に基づいて生成されたＡＣＫ／ＮＡＣＫ信号、すなわち、拡散部２１７からの出力を送信するように、送信信号選択部２２３を制御する。
【００８９】
さらに、制御部２５１は、予め基地局１５０からＣＱＩを送信するように指示されており、かつ、ＡＣＫ／ＮＡＣＫ信号を同時に送信する必要がある場合には、ＲＳ位相付加部２２２に対して、基地局１５０からのＲＳ位相の指示及びＣＲＣ部２１２からの信号に従って、ＲＳ位相を決定する。例えば、基地局１５０から予めＲＳ位相の定義として（＋，＋）をＣＱＩ＋ＡＣＫ、かつ、（＋，−）をＣＱＩ＋ＮＡＣＫと指示されており、ＣＱＩとＮＡＣＫ信号とを同時に送る場合には、ＲＳ位相付加部２２２に対して（＋，−）の位相を用いるように指示する。
【００９０】
次に、図１５に示した移動局２５０がＣＱＩ＋応答信号を生成する様子について説明する。すなわち、移動局２５０がＡＣＫ／ＮＡＣＫ信号とＣＱＩ信号とを同時に送信する場合について説明する。
【００９１】
ＣＱＩ信号は、図１５及び図１６に示すように、５シンボルの情報がそれぞれ拡散部２１９によってＺＣ系列で拡散され、ＣＰ付加部２２１によってＣＰが付加された後、５ＳＣ−ＦＤＭＡシンボルに配置される。また、ＲＳとしてＺＣ系列が２シンボル目と６シンボル目の２ＳＣ−ＦＤＭＡシンボルに配置される。
【００９２】
ここで、基地局１５０は、ＡＣＫ／ＮＡＣＫ送信用に予め決められた２つのウォルシュ系列しか使わないものとする。すなわち、システムとしては４つのウォルシュ系列が利用可能であるが、基地局１５０は、ウォルシュ系列としてＷ＃０＝[1,1,1,1]とＷ＃１＝[1,-1,-1,1]の２つしか用いないことを予め報知する。ＡＣＫ／ＮＡＣＫ信号を単独で送信する移動局２５０はこれらのウォルシュ系列のみを用いるとする。同様に、基地局１５０は、ＣＱＩのＲＳ位相（２シンボル目の位相＝Ｘ１、６シンボル目の位相＝Ｘ２）が（＋，＋）をＣＱＩ＋ＡＣＫ、かつ、（＋，−）をＣＱＩ＋ＮＡＣＫと定義したことを報知する。つまり、ＣＱＩ＋応答信号を送信する移動局２５０は、図１５のＲＳ位相付加部２２２にて、ＣＱＩのＲＳ位相を上記の通り付加する。このとき、ＡＣＫ／ＮＡＣＫ信号とＣＱＩ信号を生成する様子は図１６に示す通りである。
【００９３】
図８に示したように、ＡＣＫ／ＮＡＣＫ信号のデータ（図中、白抜き部分）には、ウォルシュ系列Ｗ＃１が適用される。一方、ＣＱＩ＋ＮＡＣＫ信号のＲＳには、２シンボル目のＲＳ位相として＋が、６シンボル目のＲＳ位相として−が付加される。すなわち、ＣＱＩのＲＳと多重されたＡＣＫ／ＮＡＣＫ信号の２シンボル目と６シンボル目に適用されたウォルシュ系列の部分系列（Ｗ１，Ｗ２）は（＋，＋）又は（−，−）となり、基地局１５０のＲＳ合成部１５２がＣＱＩのＲＳを判別する際に係数が（＋，−）と仮定して位相を揃えて（６シンボル目に受信された結果を反転して）出力した結果に対して、ＡＣＫ／ＮＡＣＫ信号からの干渉は発生しない。これは、ＣＱＩ＋ＮＡＣＫ信号の受信のために用いられる相関処理により、ウォルシュ系列で拡散された信号の位相が２シンボル目と６シンボル目で反転するため、互いに打ち消し合い、ＣＱＩ＋ＮＡＣＫ信号のＲＳがＡＣＫ／ＮＡＣＫ信号から受ける干渉を低減することができるためである。すなわち、ＣＱＩ＋ＮＡＣＫ信号に対して、周辺のＡＣＫ／ＮＡＣＫ単独の信号が与える干渉を低減することができる。
【００９４】
なお、ある基地局１５０におけるこれらのウォルシュ系列及びＣＱＩのＲＳ位相の定義については、一定時間おきに基地局１５０から報知されるものとする。
【００９５】
このように実施の形態３によれば、移動局から送信されるＣＱＩ＋ＮＡＣＫ信号のＲＳは、このＲＳと同じ位置に多重されるＡＣＫ／ＮＡＣＫ信号の２次拡散符号と直交させ、基地局１５０はＣＱＩ＋ＮＡＣＫ信号のＲＳ位相を揃えて平均化することにより、ノイズの影響を低減すると共に、他の移動局が送信したＡＣＫ／ＮＡＣＫ信号から受ける干渉も低減することができるので、ＣＱＩ＋ＮＡＣＫ信号受信時におけるＮＡＣＫ信号の判定精度を向上させることができる。
【００９６】
基地局がＡＣＫ信号を受信エラーした場合、基地局は端末にデータが届いているにもかかわらず、再度下り信号を送信するが、この場合は下りリソースに若干の無駄が発生するだけでシステムに大きな悪影響を与えない。しかしながら、基地局がＮＡＣＫ信号を受信エラーした場合、基地局は移動局がデータを受信できたものと理解し、データの再送を行わない。従って、この場合、移動局には必要なデータが届かないことになる。上位レイヤーにてデータの内容をチェックし、端末に届いていないものを再度基地局にリクエストする仕組みを入れた場合には、データが届かないという問題は発生しないが、基地局がＮＡＣＫ信号を受信エラーした場合には大きなデータ伝送遅延が発生することになる。従って、本実施の形態によりＣＱＩ＋ＮＡＣＫ信号受信時におけるＮＡＣＫ信号の判定精度を向上させることにより、システムの効率が向上する。
【００９７】
なお、本実施の形態では、システムで利用可能な４つのウォルシュ系列のうち、２系列を用いる場合について説明したが、４つのウォルシュ系列に予め優先順位を決めておき、優先順位の高いウォルシュ系列から用いるようにしてもよい。以下、４つのウォルシュ系列に優先順位を適用する場合について説明する。
【００９８】
基地局１５０は各移動局２５０に対して使用頻度の高いウォルシュ系列の部分系列（Ｗ１，Ｗ２）と直交する位相をＣＱＩ＋ＮＡＣＫと定義するように全移動局２５０に報知する。ＣＱＩ＋ＮＡＣＫのＲＳが受ける干渉量は、ＣＱＩ＋ＮＡＣＫ信号のＲＳと直交しないウォルシュ系列を使用する移動局数に応じて大きくなるため、使用頻度の高いウォルシュ系列とＣＱＩ＋ＮＡＣＫ信号のＲＳ位相を直交化させることにより、ＣＱＩ＋ＮＡＣＫ信号のＲＳが受ける総干渉量を低減することができる。
【００９９】
また、基地局１５０が予め上りＣＱＩ＋ＮＡＣＫ信号のＲＳ位相に関する情報を報知しなくても、移動局２５０がＣＱＩ＋応答信号を送信するタイミングに応じて、毎回ＣＱＩ＋応答信号のＲＳ位相の定義を指示してもよい。あるサブフレーム内でどの移動局が上り信号を送信するか、また、それらの移動局がどの上り符号リソースを使って送信するかはサブフレーム毎に変わるが、基地局１５０では、ＣＱＩ＋応答信号が送信されるフレームにおいてどのウォルシュ系列がより多く使われているか把握しているため、より多く使われているウォルシュ系列の（Ｗ１，Ｗ２）と直交する形でＣＱＩ＋ＮＡＣＫ信号のＲＳを送信するように適応的に移動局に指示することができる。これにより、ＣＱＩ＋ＮＡＣＫ信号のＲＳが受ける総干渉量を減少させることができる。
【０１００】
（実施の形態４）
本発明の実施の形態４に係る基地局及び移動局の構成は、実施の形態３の図１４及び図１５に示した構成と同様であるので、図１４及び図１５を援用して説明する。
【０１０１】
本発明の実施の形態４に係るＡＣＫ／ＮＡＣＫ信号とＣＱＩ＋応答信号の多重化（リソース割当）の様子を図１７に示す。ここでは、基地局１５０が図１７に示すようなリソース割り当てを行ったとする。ただし、横軸は循環シフト量、縦軸はウォルシュ系列に対応する。
【０１０２】
また、ここでは、ＣＱＩ＋応答信号のＲＳは、主に隣り合う循環シフト量に対応するＺＣ系列で拡散されたＡＣＫ／ＮＡＣＫ信号から干渉を受けることに注目する。より具体的には、ＣＱＩ＋応答信号のＲＳは、循環シフト量が小さい方の近くのＡＣＫ／ＮＡＣＫ信号から大きな干渉を受け、循環シフト量が大きい方の近くのＡＣＫ／ＮＡＣＫ信号には大きな干渉を与えることに注目する。
【０１０３】
図１７によれば、ＣＱＩ＋ＮＡＣＫ＃１を送信する移動局２５０は、循環シフト量＝２に対応するＺＣ系列を用いてＣＱＩ＋ＮＡＣＫ＃１を拡散して送信する。このとき、ＣＱＩ＋ＮＡＣＫ＃１はＡＣＫ＃５から最も大きな干渉を受けるため、ＡＣＫ＃５のＷ１，Ｗ２の位相（Ｗ１＝−１，Ｗ２＝１）に注目し、基地局１５０の上りＲＳ位相決定部１５１は、ＣＱＩ＋ＮＡＣＫ＃１のＲＳ位相として（＋，＋）を決定する。
【０１０４】
次に、ＣＱＩ＋応答信号が隣接するＡＣＫ／ＮＡＣＫ信号に与える干渉について考慮する。ある移動局がＣＱＩ＋応答信号を同時に送信する場合、応答信号は９割の確率でＡＣＫ信号である。これは、下りデータの送信ターゲットエラーレートが１０％程度になるように、基地局１５０側で適応変調処理が行われているためである。すなわち、ＣＱＩ＋応答信号が隣接するＡＣＫ／ＮＡＣＫ信号に与える干渉を減らすためには、ＣＱＩ＋ＡＣＫ信号が隣接するＡＣＫ／ＮＡＣＫ信号に与える干渉を低減することが有効である。ここで、再度、図１７を参照し、ＣＱＩ＋ＡＣＫ＃２に注目する。ＣＱＩ＋ＡＣＫ＃２はＡＣＫ＃７に対して大きな干渉を与える。ＡＣＫ＃７のＷ１，Ｗ２の位相（Ｗ１＝−１，Ｗ２＝１）に注目し、基地局１５０の上りＲＳ位相決定部１５１は、ＣＱＩ＋ＡＣＫ＃２のＲＳ位相として（＋，＋）を決定する。
【０１０５】
これにより、基地局１５０がＡＣＫ＃７受信時に逆拡散を行うことによって、ＣＱＩ＋ＡＣＫ信号のＲＳ部分は逆相で足し合わされるため、ＡＣＫ＃７がＣＱＩ＋ＡＣＫ信号のＲＳ部分から受ける干渉信号を低減することができる。
【０１０６】
このように実施の形態４によれば、実際に大きく干渉を受けたり与えたりするＡＣＫ／ＮＡＣＫ信号のウォルシュ符号に注目してＣＱＩ＋応答信号のＲＳ位相を決定するため、より効果的にＣＱＩ＋応答信号のＲＳが受ける干渉量及び与える干渉量を低減することができる。
【０１０７】
以上、実施の形態について説明した。
【０１０８】
なお、上記各実施の形態では、一つの基地局が一つのセルを形成し、基地局が管理するエリア内で同一のＲＳ符号制御とＡＣＫ／ＮＡＣＫリソース制御が行われることを前提として説明したが、一つの基地局が、例えば、指向性アンテナ等により複数のセルを形成し、基地局が複数のセルを管理し、独立に制御する場合にも適用できる。
【０１０９】
上記各実施の形態では、本発明をハードウェアで構成する場合を例にとって説明したが、本発明はソフトウェアで実現することも可能である。
【０１１０】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１１２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１３】
２００７年８月１３日出願の特願２００７−２１１１０１及び２００７年１０月２９日出願の特願２００７−２８０７９７の日本出願に含まれる明細書、図面及び要約書の開示内容は、すべて本願に援用される。
【産業上の利用可能性】
【０１１４】
本発明にかかる無線通信方法、無線通信システム及び基地局装置は、ＣＱＩ受信性能の向上を図るのに有用である。
【符号の説明】
【０１１５】
１０１  上りＲＳ位相決定部
１０２  制御情報生成部
１０３，１０５  符号化部
１０４，１０７，２１３，２１８  変調部
１０６  再送制御部
１０８  マッピング部
１０９，２１５，２２０  ＩＦＦＴ部
１１０，２１６，２２１  ＣＰ付加部
１１１，２２４  無線送信部
１１２，２０１  アンテナ
１１３，２０２  無線受信部
１１４，２０３  ＣＰ除去部
１１５  相関処理部
１１６  分離部
１１７  逆拡散部
１１８，２０８  判定部
１１９  ＲＳ合成部
１２０，２０６，２１０  復調部
１２１，２０７，２１１  復号部
２０４  ＦＦＴ部
２０５  抽出部
２０９  制御部
２１２  ＣＲＣ部
２１４，２１７，２１９  拡散部
２２２  ＲＳ位相付加部
２２３  送信信号選択部
【図１】
0005391232.tif 000002
【図２】
0005391232.tif 000003
【図３】
0005391232.tif 000004
【図４】
0005391232.tif 000005
【図５】
0005391232.tif 000006
【図６】
0005391232.tif 000007
【図７】
0005391232.tif 000008
【図８】
0005391232.tif 000009
【図９】
0005391232.tif 000010
【図１０】
0005391232.tif 000011
【図１１】
0005391232.tif 000012
【図１２】
0005391232.tif 000013
【図１３】
0005391232.tif 000014
【図１４】
0005391232.tif 000015
【図１５】
0005391232.tif 000016
【図１６】
0005391232.tif 000017
【図１７】
0005391232.tif 000018